(57)【要約】【課題】ユーザが操作を行うことなく、装置内に保存していたデータを送信すること。【解決手段】本発明の処理装置は、第１のデータを受信する受信部と、第２のデータを保存する記憶部と、前記記憶部に保存された第２のデータの中から、前記受信部で受信された第１のデータに関連する第２のデータを抽出する抽出部と、前記抽出部で抽出された第２のデータを、前記受信部で受信された第１のデータに関連する装置に送信する送信部と、を含む。【選択図】図１
2012256089.tif 000002
【特許請求の範囲】
【請求項１】
第１のデータを受信する受信部と、
第２のデータを保存する記憶部と、
前記記憶部に保存された第２のデータの中から、前記受信部で受信された第１のデータに関連する第２のデータを抽出する抽出部と、
前記抽出部で抽出された第２のデータを、前記受信部で受信された第１のデータに関連する装置に送信する送信部と、を含む処理装置。
【請求項２】
前記記憶部は、
第２のデータ毎に、該第２のデータが送信済みであるか否かの情報を保存し、
前記抽出部は、
前記抽出済みの第２のデータの中から、さらに未送信である第２のデータを抽出し、
前記送信部は、
第１のデータに関連する装置として第１のデータの送信元の装置に送信する、請求項１に記載の処理装置。
【請求項３】
前記抽出部は、
第１のデータの送信元に未送信である第２のデータを抽出する、請求項２に記載の処理装置。
【請求項４】
前記記憶部は、
第２のデータ毎に、該第２のデータが送信済みであるか否かの情報を保存し、
第１のデータ毎に、該第１のデータに関連する第２のデータの送信先として予め決められた送信先装置の情報を保存し、
前記抽出部は、
前記抽出済みの第２のデータの中から、さらに未送信である第２のデータを抽出し、
前記送信部は、
第１のデータに関連する装置として第１のデータに関連する前記送信先装置に送信する、請求項１に記載の処理装置。
【請求項５】
前記抽出部は、
第１のデータに関連する前記送信先装置に未送信である第２のデータを抽出する、請求項４に記載の処理装置。
【請求項６】
前記受信部は、
第１のデータと共に、該第１のデータに関連する第２のデータの送信先である前記送信先装置の情報を受信し、
前記記憶部は、
第１のデータに関連する前記送信先装置の情報として、前記受信部で受信された前記送信先装置の情報を保存する、請求項４または５に記載の処理装置。
【請求項７】
第１のデータは、顔画像を含む画像データであり、
第２のデータは、画像データであり、
第１のデータに関連する第２のデータは、第１のデータに含まれる顔画像と同一人物の顔画像を含む画像データである、請求項１から６のいずれか１項に記載の処理装置。
【請求項８】
請求項１から７のいずれか１項に記載の処理装置と、
前記処理装置に対し、第１のデータを送信する端末装置と、を有する処理システム。
【請求項９】
処理装置が行う情報処理方法であって、
第１のデータを受信し、
記憶部に保存された第２のデータの中から、前記受信された第１のデータに関連する第２のデータを抽出し、
前記抽出された第２のデータを、前記受信された第１のデータに関連する装置に送信する、処理方法。
【請求項１０】
処理装置に、
第１のデータを受信する手順と、
記憶部に保存された第２のデータの中から、前記受信された第１のデータに関連する第２のデータを抽出する手順と、
前記抽出された第２のデータを、前記受信された第１のデータに関連する装置に送信する手順と、を実行させるためのプログラム。
【発明の詳細な説明】
【技術分野】
【０００１】
本発明は、処理装置、処理システム、処理方法、プログラムに関する。
【背景技術】
【０００２】
特許文献１には、サーバが、ユーザ端末から顔画像がアップロードされると、アップロードされた顔画像の人物を特定し、特定した人物に対応する送信先へ、アップロードされた顔画像を送信する技術が開示されている。
【先行技術文献】
【特許文献】
【０００３】
【特許文献１】特開２００４−３２６２８１号公報
【発明の概要】
【発明が解決しようとする課題】
【０００４】
特許文献１に開示された技術では、人物の顔画像を、その人物に対応する送信先へ送信するためには、ユーザ端末が、顔画像をサーバへアップロードする必要がある。
【０００５】
しかし、携帯電話機で、他の人物を撮影した時に、撮影した画像データを後で送信しようと思っていても、画像データを送信することを忘れてしまうことが多い。その場合、特許文献１に開示された技術を用いても、他の人物の顔画像を、その人物に対応する送信先へ送信することができない。
【０００６】
また、携帯電話機等の処理装置では、画像データに限らず、他装置に送信する必要があるデータを未送信のまま装置内に保存していることがある。その場合、ユーザがデータの存在に気付き、操作を行わない限り、そのデータを送信することができない。
【０００７】
そこで、本発明の目的は、上述した課題を解決し、ユーザが操作を行うことなく、装置内に保存していたデータを送信することができる処理装置、処理システム、処理方法、プログラムを提供することにある。
【課題を解決するための手段】
【０００８】
本発明の処理装置は、
第１のデータを受信する受信部と、
第２のデータを保存する記憶部と、
前記記憶部に保存された第２のデータの中から、前記受信部で受信された第１のデータに関連する第２のデータを抽出する抽出部と、
前記抽出部で抽出された第２のデータを、前記受信部で受信された第１のデータに関連する装置に送信する送信部と、を含む。
【０００９】
本発明の処理システムは、
前記処理装置と、
前記処理装置に対し、第１のデータを送信する端末装置と、を有する。
【００１０】
本発明の処理方法は、
処理装置が行う情報処理方法であって、
第１のデータを受信し、
記憶部に保存された第２のデータの中から、前記受信された第１のデータに関連する第２のデータを抽出し、
前記抽出された第２のデータを、前記受信された第１のデータに関連する装置に送信する。
【００１１】
本発明のプログラムは、
処理装置に、
第１のデータを受信する手順と、
記憶部に保存された第２のデータの中から、前記受信された第１のデータに関連する第２のデータを抽出する手順と、
前記抽出された第２のデータを、前記受信された第１のデータに関連する装置に送信する手順と、を実行させる。
【発明の効果】
【００１２】
本発明によれば、記憶部に保存された、第１のデータに関連する第２のデータを、ユーザが操作を行うことなく、第１のデータに関連する装置に送信することができるという効果が得られる。
【図面の簡単な説明】
【００１３】
【図１】本発明の第１の実施形態の処理システムの構成を示すブロック図である。
【図２】本発明の第２の実施形態の処理システムの構成を示すブロック図である。
【図３】本発明の第２および第３の実施形態の携帯電話機で用いる顔画像ＤＢの内容の一例を示す図である。
【図４】本発明の第２および第４の実施形態の携帯電話機で用いる画像データテーブルの内容の一例を示す図である。
【図５】本発明の第２の実施形態の腕時計において、顔画像を含む画像データを携帯電話機に送信する場合の動作を説明するフローチャートである。
【図６】本発明の第２の実施形態の携帯電話機において、画像データテーブルに新たな画像データを登録する場合の動作を説明するフローチャートである。
【図７】本発明の第２の実施形態の携帯電話機ＣＰにおいて、画像データテーブルに登録されたメール送信状況を「未」から「済」にする動作を説明するフローチャートである。
【図８】本発明の第２の実施形態の携帯電話機ＣＰにおいて、腕時計ＷＴから画像データを受信した場合の動作を説明するフローチャートである。
【図９】本発明の第３および第５の実施形態の携帯電話機で用いる画像データテーブルの内容の一例を示す図である。
【図１０】本発明の第４および第５の実施形態の携帯電話機で用いる顔画像ＤＢの内容の一例を示す図である。
【発明を実施するための形態】
【００１４】
以下に、本発明を実施するための形態について図面を参照して説明する。
（１）第１の実施形態
図１に示すように、本実施形態の処理システムは、処理装置１０と、端末装置２０と、を有している。
【００１５】
端末装置２０は、第１のデータを処理装置１０に送信する。
【００１６】
第１のデータは、例えば、顔画像を含む画像データである。
【００１７】
処理装置１０は、受信部１１と、記憶部１２と、抽出部１３と、送信部１４と、を有している。
【００１８】
受信部１１は、端末装置２０から送信されてきた第１のデータを受信する。
【００１９】
記憶部１２は、第２のデータを保存する。
【００２０】
第２のデータは、例えば、任意の画像データである。
【００２１】
抽出部１３は、記憶部１２に保存された第２のデータの中から、受信部１１で受信された第１のデータに関連する第２のデータを抽出する。
【００２２】
第１のデータに関連する第２のデータは、例えば、第１のデータが顔画像を含む画像データである場合、その顔画像と同一人物の顔画像を含む画像データである。
【００２３】
送信部１４は、抽出部１３で抽出された第２のデータを、受信部１１で受信された第１のデータに関連する装置に送信する。
【００２４】
第１のデータに関連する装置は、例えば、第１のデータの送信元の装置（図１では、端末装置２０）や、第１のデータに関連する第２のデータの送信先として予め決められた装置である。
【００２５】
上述したように本実施形態では、処理装置１０は、端末装置２０から第１のデータを受信すると、記憶部１２に保存された第２のデータの中から、第１のデータに関連する第２のデータを抽出し、抽出した第２のデータを第１のデータに関連する装置に送信する。
【００２６】
そのため、記憶部１２に保存された、第１のデータに関連する第２のデータを、ユーザが操作を行うことなく、第１のデータに関連する装置に送信することができるという効果が得られる。
（２）第２の実施形態
本実施形態は、第１の実施形態の構成および動作を具体化した例であり、処理装置として携帯電話機を用い、端末装置として腕時計を用いている。
【００２７】
図２に示すように、本実施形態の処理システムは、処理装置である携帯電話機ＣＰと、端末装置である腕時計ＷＴと、を有している。
【００２８】
また、携帯電話機ＣＰは、制御部１０１と、操作部１０２と、電源部１０３と、通信部１０４と、近距離無線部１０５と、撮影部１０６と、表示部１０７と、電話部１０８と、記憶部１０９と、報知部１１０と、を有している。
【００２９】
なお、図１の受信部１１は、通信部１０４または近距離無線部１０５に対応し、図１の記憶部１２は、記憶部１０９に対応し、図１の抽出部１３は、制御部１０１に対応し、図１の送信部１４は、通信部１０４または近距離無線部１０５に対応する。
【００３０】
制御部１０１は、記憶部１０９内の図示しないプログラム領域に格納された各種プログラムに応じて、携帯電話機ＣＰ内の構成要素を制御して各種処理を行う。例えば、制御部１０１は、画像データから人物の顔を検出する処理、画像データから顔画像を取得する処理、顔画像同士を比較し、同一の人物であるか否かを判定する処理等を行う。なお、これらの処理は、公知の技術を利用して行うことができるため、詳細な説明は省略する。また、制御部１０１には、図示しないＣＰＵ（Central Processing Unit）やメモリなどが設けられている。
【００３１】
電源部１０３は、携帯電話機ＣＰ内の構成要素に電力を供給する。
【００３２】
記憶部１０９は、ＲＯＭ（Read Only Memory）やＲＡＭ（Random Access Memory）などの内部メモリであり、図示しないプログラム領域とデータ領域とを持つ。プログラム領域には、後述する図６〜図８に示す処理等を実現するためのプログラムが格納されている。一方、データ領域には、携帯電話機ＣＰの動作に必要な各種データが一時記憶される他、顔画像ＤＢ（Data Base）１０９Ａおよび画像データテーブル１０９Ｂが格納されている。
【００３３】
顔画像ＤＢ１０９Ａは、記憶部１０９に予め保存された顔画像データに関する情報が登録されるデータベースである。図３に示すように、顔画像ＤＢ１０９Ａには、顔画像データの各々について、その顔画像データの顔画像の人物名と、その顔画像データの画像名と、が登録される。
【００３４】
画像データテーブル１０９Ｂは、撮影部１０６で撮影され記憶部１０９に保存された画像データに関する情報が登録されるテーブルである。図４に示すように、画像データテーブル１０９Ｂには、画像データの各々について、その画像データの画像番号と、その画像データの画像名と、その画像データに含まれている顔画像の人物名と、その画像データをメールで送信済であるか否かを示すメール送信状況と、が登録される。
【００３５】
操作部１０２は、ダイヤル入力、文字入力、コマンド入力などが行われる部分であり、これらの入力に応じた操作信号を制御部１０１に出力する。制御部１０１は、操作部１０２からの操作信号に応じた処理として、例えば、発信処理、電子メール処理、パスワード認証処理などの処理を行う。
【００３６】
通信部１０４は、図示しない無線部、ベースバンド部、多重分離部などを備え、例えば、音声通話機能、電子メール機能、インターネット接続機能の動作時に、近隣の基地局との間で無線通信を行う。
【００３７】
電話部１０８は、音声データを出力する通話用スピーカＳＰと、音声データを入力する通話用マイクＭＣと、を有する。
【００３８】
例えば、音声通話機能の動作時には、通信部１０４は、アンテナＡＴ１１で受信された音声データをベースバンド部の受信側から取り込んで、受信ベースバンド信号に復調した後、その音声データを電話部１０８を介して通話用スピーカＳＰから出力させる。また、通信部１０４は、通話用マイクＭＣから入力された音声データを電話部１０８から取り込んで、送信ベースバンド信号に符号化した後、その音声データをベースバンド部の送信側に与えて、アンテナＡＴ１１から送信させる。
【００３９】
表示部１０７は、例えば、高精細液晶、有機ＥＬ（Electro Luminescence）などを使用し、アイコン、文字データ、待受け画像などを表示する。
【００４０】
近距離無線部１０５は、腕時計ＷＴとの間でＢｌｕｅｔｏｏｔｈなどの近距離通信を行う。具体的には、近距離無線部１０５は、半径数十メートルの範囲内において、腕時計ＷＴとの間でアンテナＡＴ１２，ＡＴ２１を介して通信を行う。
【００４１】
撮影部１０６は、カメラ機能を構成する構成要素であり、ＣＣＤ（Charge Coupled Device）などの撮像素子を有し、静止画撮影のほかに動画撮影も可能となっている。また、撮影部１０６は、撮影レンズ、信号処理回路、圧縮伸張回路などを備えている。
【００４２】
報知部１１０は、バイブレータ部１１０Ａ、報音部１１０Ｂ、ＬＥＤ（Light Emitting Diode）部１１０Ｃを有し、バイブレータ部１１０Ａの振動、報音部１１０Ｂの報音、ＬＥＤ部１１０Ｃの発光によって、着信報知を行ったり、セキュリティ報知を行ったりする。
【００４３】
また、腕時計ＷＴは、制御部２０１と、操作部２０２と、電源部２０３と、近距離無線部２０４と、撮影部２０５と、表示部２０６と、記憶部２０７と、時計部２０８と、を有している。
【００４４】
制御部２０１は、記憶部２０７内の図示しないプログラム領域に格納された各種プログラムに応じて、腕時計ＷＴ内の構成要素を制御して各種処理を行う。例えば、制御部２０１は、画像データから人物の顔を検出する処理、画像データから顔画像を取得する処理等を行う。なお、これらの処理は、公知の技術を利用して行うことができるため、詳細な説明は省略する。また、制御部２０１には、図示しないＣＰＵやメモリなどが設けられている。
【００４５】
電源部２０３は、腕時計ＷＴ内の構成要素に電力を供給する。
【００４６】
記憶部２０７は、ＲＯＭやＲＡＭなどの内部メモリであり、図示しないプログラム領域とデータ領域とを持つ。プログラム領域には、後述する図５に示す処理等を実現するためのプログラムが格納されている。一方、データ領域には、腕時計ＷＴの動作に必要な各種データが一時記憶される。
【００４７】
時計部２０８は、現在日時を表示部２０６に掲示する。
【００４８】
操作部２０２は、各種の入力が行われる部分であり、これらの入力に応じた操作信号を制御部２０１に出力する。
【００４９】
表示部２０６は、例えば、高精細液晶、有機ＥＬなどを使用し、現在日時などを表示する。
【００５０】
近距離無線部２０４は、携帯電話機ＣＰとの間でＢｌｕｅｔｏｏｔｈなどの近距離通信を行う。具体的には、近距離無線部２０４は、半径数十メートルの範囲内において、携帯電話機ＣＰとの間でアンテナＡＴ２１，ＡＴ１２を介して通信を行う。
【００５１】
撮影部２０５は、カメラ機能を構成する構成要素であり、ＣＣＤなどの撮像素子を有し、静止画撮影のほかに動画撮影も可能となっている。また、撮影部２０５は、撮影レンズ、信号処理回路、圧縮伸張回路などを備えている。
【００５２】
以下、本実施形態の処理システムの動作について説明する。以下では、携帯電話機ＣＰと腕時計ＷＴとは、近距離無線部１０５，２０４によって互いに無線接続された状態であるものとする。
【００５３】
最初に、腕時計ＷＴにおいて、顔画像を含む画像データを携帯電話機ＣＰに送信する場合の動作について、図５を参照して説明する。
【００５４】
図５に示すように、制御部２０１は、撮影部２０５が撮影を行うと、撮影した画像データを記憶部２０７に保存する（ステップＡ１）。
【００５５】
次に、制御部２０１は、ステップＡ１で保存した画像データから顔の検出を試行し（ステップＡ２）、顔を検出できなかった場合は（ステップＡ２のＮｏ）処理を終了する。
【００５６】
一方、ステップＡ２において、画像データから顔を検出した場合（ステップＡ２のＹｅｓ）、制御部２０１は、その画像データを、近距離無線部２０４を用いて、携帯電話機ＣＰに送信する（ステップＡ３）。
【００５７】
そのため、腕時計ＷＴの使用者は、時間の確認のために腕時計ＷＴを見た時などに自身の顔を撮影することで、撮影した画像データを携帯電話機ＣＰに送信することができる。
【００５８】
続いて、携帯電話機ＣＰにおいて、画像データテーブル１０９Ｂに新たな画像データを登録する場合の動作について、図６を参照して説明する。
【００５９】
図６に示すように、制御部１０１は、撮影部１０６が撮影を行うと、撮影した画像データを記憶部１０９に保存する（ステップＢ１）。
【００６０】
次に、制御部１０１は、現時点で画像データテーブル１０９Ｂに画像番号として登録されていない空き番号のうち最小の空き番号を探し、その最小の空き番号（ここでは、「Ｎ」）を、ステップＢ１で保存した画像データの画像番号とする。そして、画像データテーブル１０９Ｂの画像番号の項目に、画像番号Ｎを登録し、画像番号Ｎの画像データの項目に、ステップＢ１で保存した画像データの画像名を登録する（ステップＢ２）。
【００６１】
次に、制御部１０１は、画像データテーブル１０９Ｂの画像番号Ｎのメール送信状況の項目に、画像データが未送信であることを示す「未」を登録する（ステップＢ３）。
【００６２】
次に、制御部１０１は、ステップＢ１で保存した画像データから顔の検出を試行し（ステップＢ４）、顔を検出できなかった場合は（ステップＢ４のＮｏ）処理を終了する。
【００６３】
一方、ステップＢ４において、画像データから顔を検出した場合（ステップＢ４のＹｅｓ）、制御部１０１は、その顔画像を取得する（ステップＢ５）。
【００６４】
次に、制御部１０１は、ステップＢ５で取得した顔画像を、顔画像ＤＢ１０９Ａに登録された顔画像の各々と比較し、ステップＢ５で取得した顔画像の人物が、顔画像ＤＢ１０９Ａに顔画像が登録されたいずれかの人物と同一人物であるか否かを判定する（ステップＢ６）。
【００６５】
ステップＢ６において、ステップＢ５で取得した顔画像の人物が、顔画像ＤＢ１０９Ａに顔画像が登録されたいずれかの人物と同一人物である場合（ステップＢ６のＹｅｓ）、制御部１０１は、画像データテーブルの画像番号Ｎの人物名の項目に、その同一人物の人物名を登録する（ステップＢ７）。
【００６６】
一方、ステップＢ６において、ステップＢ５で取得した顔画像の人物が、顔画像ＤＢ１０９Ａに顔画像が登録されたいずれの人物とも同一人物でない場合（ステップＢ６のＮｏ）、制御部１０１は、画像データテーブルの画像番号Ｎの人物名の項目に、重複しない任意の人物名を登録する（ステップＢ８）。
【００６７】
続いて、携帯電話機ＣＰにおいて、画像データテーブル１０９Ｂに登録されたメール送信状況を「未」から「済」にする場合の動作について、図７を参照して説明する。
【００６８】
図７に示すように、制御部１０１は、通信部１０４を用いて、画像番号Ｎの画像データをメールに添付して送信したとする（ステップＣ１）。
【００６９】
次に、制御部１０１は、画像データテーブル１０９Ｂの画像番号Ｎのメール送信状況の項目に、画像データが送信済であることを示す「済」を登録する（ステップＣ２）。
【００７０】
続いて、携帯電話機ＣＰにおいて、腕時計ＷＴから画像データを受信した場合の動作について、図８を参照して説明する。
【００７１】
図８に示すように、制御部１０１は、近距離無線部１０５が腕時計ＷＴから送信されてきた画像データを受信すると（ステップＤ１のＹｅｓ）、受信した画像データから顔画像を取得する（ステップＤ２）。
【００７２】
次に、制御部１０１は、Ｎ＝１に設定し（ステップＤ３）、画像データテーブル１０９ＢにＮ以上の画像番号が登録されているか否かを判定する（ステップＤ４）。
【００７３】
ステップＤ４において、Ｎ以上の画像番号が登録されている場合（ステップＤ４のＹｅｓ）、制御部１０１は、画像番号Ｎの画像データを記憶部１０９から読み出し、ステップＤ２で取得した顔画像と、画像番号Ｎの画像データに含まれる顔画像と、を比較し（ステップＤ５）、２つの顔画像が同一人物のものであるか否かを判定する（ステップＤ６）。
【００７４】
ステップＤ６において、２つの顔画像が同一人物のものである場合（ステップＤ６のＹｅｓ）、制御部１０１は、画像データテーブル１０９Ｂの画像番号Ｎのメール送信状況が「未」であるか否かを判定する（ステップＤ７）。
【００７５】
ステップＤ７において、メール送信状況が「未」である場合（ステップＤ７のＹｅｓ）、制御部１０１は、画像番号Ｎを抽出して記憶部１０９に保存し（ステップＤ８）、Ｎ＝Ｎ＋１に設定した上で（ステップＤ９）、ステップＤ４の処理に戻る。なお、ステップＤ６で２つの顔画像が同一人物のものでない場合（ステップＤ６のＮｏ）や、ステップＤ７でメール送信状況が「未」でない場合（ステップＤ７のＮｏ）は、ステップＤ９の処理を経てステップＤ４の処理に戻る。
【００７６】
ステップＤ４からステップＤ９までの処理は、画像データテーブル１０９Ｂの最大の画像番号に対するステップＤ８の処理が終了するまで繰り返される。
【００７７】
最大の画像番号に対するステップＤ８の処理が終了すると、ステップＤ９を経てステップＤ４の処理に戻り、ステップＤ４において、制御部１０１は、画像データテーブル１０９ＢにＮ以上の画像番号が登録されていないと判定する（ステップＤ４のＮｏ）。
【００７８】
次に、制御部１０１は、ステップＤ８で抽出した画像番号があるか否かを判定し（ステップＤ１０）、抽出した画像番号がない場合は（ステップＤ１０のＮｏ）処理を終了する。
【００７９】
一方、ステップＤ１０において、抽出した画像番号がある場合（ステップＤ１０のＹｅｓ）、制御部１０１は、抽出した全ての画像番号の画像データを記憶部１０９から読み出し、読み出した画像データをメールに添付して、通信部１０４を用いて、腕時計ＷＴに送信する（ステップＤ１１）。なお、腕時計ＷＴのメールアドレスは、記憶部１０９に予め保存されているものとする。
【００８０】
上述したように本実施形態では、携帯電話機ＣＰは、腕時計ＷＴから、顔画像を含む画像データ（第１のデータ）を受信すると、記憶部１０９に保存された画像データ（第２のデータ）の中から、腕時計ＷＴから受信した画像データに含まれる顔画像と同一人物の顔画像を含む画像データを抽出し、抽出した画像データを腕時計ＷＴに送信する。
【００８１】
そのため、携帯電話機ＣＰを使用するユーザにとっては、記憶部１０９に保存された、腕時計ＷＴから受信した画像データに含まれる顔画像と同一人物の顔画像を含む画像データを、操作を行うことなく、腕時計ＷＴに送信することができる。
【００８２】
また、腕時計ＷＴを使用するユーザにとっても、腕時計ＷＴを見た時などに自身の顔を撮影することのみで、携帯電話機ＣＰに記憶されている、自身の顔画像を含む画像データを取得することができる。
【００８３】
また、本実施形態では、携帯電話機ＣＰは、腕時計ＷＴから受信した画像データに含まれる顔画像と同一人物の顔画像を含む画像データのうち未送信の画像データのみを抽出して送信し、送信済の画像データについては送信しない。
【００８４】
そのため、携帯電話機ＣＰから腕時計ＷＴへ画像データを送信するための処理時間の短縮化や通信資源の削減を図ることができる。
（３）第３の実施形態
本実施形態は、第２の実施形態と比較して、携帯電話機ＣＰの記憶部１０９に格納される画像データテーブル１０９Ｂの内容が異なる。
【００８５】
すなわち、本実施形態では、画像データテーブル１０９Ｂは、図９に示すように、図４に示したものと比較して、画像データの各々について、その画像データが送信済みである場合、その画像データを送信した送信先のメールアドレスが送信済アドレスとして追加で登録されている。
【００８６】
また、本実施形態は、第２の実施形態と比較して、携帯電話機ＣＰの動作が以下の点で異なる。
【００８７】
すなわち、本実施形態では、制御部１０１は、図７のステップＣ２において、メール送信状況の項目に、画像データが送信済であることを示す「済」を登録すると共に、送信済アドレスの項目に、その画像データを送信した送信先のメールアドレスを登録する。
【００８８】
また、制御部１０１は、図８のステップＤ７において、画像番号Ｎのメール送信状況が「未」であるか否かを判定し、「未」である場合はステップＤ８へ進み、「済」であればさらに腕時計ＷＴのメールアドレスが送信済アドレスに含まれるか否かを判定し、送信済アドレスに含まれない場合はステップＤ８へ進む。これら以外の場合はステップＤ９へ進む。すなわち、図８のステップＤ７においては、制御部１０１は、画像番号Ｎの画像データが腕時計ＷＴのメールアドレスへ未送信であるか否かを判定し、腕時計ＷＴのメールアドレスへ未送信である場合はステップＤ８へ進むことになる。
【００８９】
また、制御部１０１は、図８のステップＤ８において、腕時計ＷＴのメールアドレスへ未送信である画像番号Ｎの画像データを抽出する。
【００９０】
なお、本実施形態は、上述した構成および動作以外は、第２の実施形態と同様である。
【００９１】
上述したように本実施形態では、携帯電話機ＣＰは、腕時計ＷＴから受信した画像データに含まれる顔画像と同一人物の顔画像を含む画像データのうち腕時計ＷＴに未送信の画像データのみを抽出して送信する。
【００９２】
そのため、例えば、腕時計ＷＴが、ユーザが新たに購入した腕時計であった場合、携帯電話機ＣＰは、そのユーザが以前に使用していた腕時計に画像データを送信していたとしても、新たに購入した腕時計ＷＴに画像データを再度送信することができる。
【００９３】
その他の効果は第２の実施形態と同様である。
（４）第４の実施形態
本実施形態は、第２の実施形態と比較して、携帯電話機ＣＰの記憶部１０９に格納される顔画像ＤＢ１０９Ａの内容が異なる。
【００９４】
すなわち、本実施形態では、顔画像ＤＢ１０９Ａは、図１０に示すように、図３に示したものと比較して、顔画像データの各々について、その顔画像を含む画像データの送信先として予め決められた送信先装置のメールアドレスが送信先アドレスとして追加で登録されている。すなわち、送信先アドレスは、腕時計ＷＴから受信した画像データに含まれる顔画像と同一人物の顔画像を含む画像データの送信先となる。
【００９５】
また、本実施形態は、第２の実施形態と比較して、携帯電話機ＣＰの動作が以下の点で異なる。
【００９６】
すなわち、本実施形態では、制御部１０１は、図８のステップＤ１１において、ステップＤ８で抽出した全ての画像番号の画像データを記憶部１０９から読み出す。ここで読み出した画像データは、共通して腕時計ＷＴを使用する人物の顔画像を含んでいる。そのため、制御部１０１は、記憶部１０９から読み出した画像データを、顔画像ＤＢ１０９Ａに登録された、予め決められたメールアドレスへ送信する。
【００９７】
なお、本実施形態は、上述した構成および動作以外は、第２の実施形態と同様である。
【００９８】
上述したように本実施形態では、携帯電話機ＣＰは、腕時計ＷＴから受信した画像データに含まれる顔画像と同一人物の顔画像を含む画像データのうち未送信の画像データを、予め決められたメールアドレス宛てに送信する。
【００９９】
そのため、携帯電話機ＣＰは、画像データを、腕時計ＷＴではなく、例えば、その腕時計ＷＴを使用しているユーザの携帯電話機に送信することができる。
【０１００】
その他の効果は第２の実施形態と同様である。
（５）第５の実施形態
本実施形態は、第２の実施形態と比較して、携帯電話機ＣＰの記憶部１０９に格納される画像データテーブル１０９Ｂの内容および顔画像ＤＢ１０９Ａの内容が異なる。
【０１０１】
すなわち、本実施形態では、画像データテーブル１０９Ｂは、第３の実施形態で説明した図９に示した内容になっており、顔画像ＤＢ１０９Ａは、第４の実施形態で説明した図１０に示した内容になっている。
【０１０２】
また、本実施形態は、第２の実施形態と比較して、携帯電話機ＣＰの動作が以下の点で異なる。
【０１０３】
すなわち、本実施形態では、制御部１０１は、図７のステップＣ２において、メール送信状況の項目に、画像データが送信済であることを示す「済」を登録すると共に、送信済アドレスの項目に、その画像データを送信した送信先のメールアドレスを登録する。
【０１０４】
また、制御部１０１は、図８のステップＤ７において、画像番号Ｎのメール送信状況が「未」であるか否かを判定し、「未」である場合はステップＤ８へ進み、「済」であればさらに顔画像ＤＢ１０９Ａに登録された予め決められたメールアドレスが送信済アドレスに含まれるか否かを判定し、送信済アドレスに含まれない場合はステップＤ８へ進む。これら以外の場合はステップＤ９へ進む。すなわち、図８のステップＤ７においては、制御部１０１は、画像番号Ｎの画像データが、顔画像ＤＢ１０９Ａに登録された予め決められたメールアドレスへ未送信であるか否かを判定し、予め決められたメールアドレスへ未送信である場合はステップＤ８へ進むことになる。
【０１０５】
また、制御部１０１は、図８のステップＤ８において、顔画像ＤＢ１０９Ａに登録された予め決められたメールアドレスへ未送信である画像番号Ｎの画像データを抽出する。
【０１０６】
また、制御部１０１は、図８のステップＤ１１において、ステップＤ８で抽出した全ての画像番号の画像データを記憶部１０９から読み出し、読み出した画像データを、顔画像ＤＢ１０９Ａに登録された、予め決められたメールアドレスへ送信する。
【０１０７】
なお、本実施形態は、上述した構成および動作以外は、第２の実施形態と同様である。
【０１０８】
また、本実施形態の効果は、第２〜第４の実施形態と同様である。
【０１０９】
以上、実施形態を参照して本発明を説明したが、本発明は上記実施形態に限定されものではない。本発明の構成や詳細には、本発明の範囲内で当業者が理解し得る様々な変更をすることができる。
【０１１０】
例えば、第２〜第５の実施形態では、処理装置の一例として携帯電話機を例に挙げたが、本発明はこれに限定されず、処理装置は、スマートフォン、ゲーム機、タブレット型ＰＣ（Personal Computer）、ノート型ＰＣなどでもよい。
【０１１１】
また、第２〜第５の実施形態では、端末装置の一例として腕時計を例に挙げたが、本発明はこれに限定されない。例えば、携帯電話機の中には、バンドなどで腕に装着するものがあるため、端末装置は携帯電話機でもよい。
【０１１２】
また、第２〜第５の実施形態では、腕時計ＷＴは、顔画像を含む画像データを撮影して取得する度に、その画像データを携帯電話機ＣＰに送信していたが、本発明はこれに限定されず、記憶部２０７に予め保存した画像データを、ユーザが操作をした時などに、携帯電話機ＣＰに送信してもよい。
【０１１３】
また、第２〜第５の実施形態では、腕時計ＷＴは、画像データを、近距離無線部２０４を用いて携帯電話機ＣＰに送信するものとして説明したが、本発明はこれに限定されず、画像データを、メールに添付して携帯電話機ＣＰに送信してもよい。
【０１１４】
また、第２〜第５の実施形態では、携帯電話機ＣＰは、画像データをメールに添付して、通信部１０４を用いて、送信するものとして説明したが、本発明はこれに限定されず、画像データを、近距離無線部１０５を用いて、近距離無線通信で送信してもよい。
【０１１５】
また、第４〜第５の実施形態では、携帯電話機ＣＰは、画像データの送信先となるメールアドレスが顔画像ＤＢ１０９Ａに予め登録されたものとして説明したが、本発明はこれに限定されない。例えば、腕時計ＷＴは、画像データの送信時に、その顔画像と同一人物の顔画像を含む画像データの送信先のメールアドレスの情報を送信し、携帯電話機ＣＰは、その送信先のメールアドレスを顔画像ＤＢ１０９Ａに登録してもよい。
【０１１６】
また、本発明の処理装置にて行われる方法は、コンピュータに実行させるためのプログラムに適用してもよい。また、そのプログラムを記憶媒体に格納することも可能であり、ネットワークを介して外部に提供することも可能である。
【符号の説明】
【０１１７】
１０    処理装置
１１    受信部
１２    記憶部
１３    抽出部
１４    送信部
２０    端末装置
ＣＰ    携帯電話機
１０１    制御部
１０２    操作部
１０３    電源部
１０４    通信部
１０５    近距離無線部
１０６    撮影部
１０７    表示部
１０８    電話部
１０９    記憶部
１０９Ａ    顔画像ＤＢ
１０９Ｂ    画像データテーブル
１１０    報知部
１１０Ａ    バイブレータ部
１１０Ｂ    報音部
１１０Ｃ    ＬＥＤ部
ＡＴ１１，ＡＴ１２    アンテナ
ＷＴ    腕時計
２０１    制御部
２０２    操作部
２０３    電源部
２０４    近距離無線部
２０５    撮影部
２０６    表示部
２０７    記憶部
２０８    時計部
ＡＴ２１    アンテナ
【図１】
2012256089.tif 000003
【図２】
2012256089.tif 000004
【図３】
2012256089.tif 000005
【図４】
2012256089.tif 000006
【図５】
2012256089.tif 000007
【図６】
2012256089.tif 000008
【図７】
2012256089.tif 000009
【図８】
2012256089.tif 000010
【図９】
2012256089.tif 000011
【図１０】
2012256089.tif 000012